(57)【要約】【課題】  本発明は、排湿機能、結露防止機能、断熱機能、防水機能、等を形成した壁構造に係るものである。【解決手段】    【請求項１】既存壁下地、あるいは新築壁下地上に硬質板が形成された下地αと外壁材Ａ間に通気層γを形成し、通気層γの下端部分と上端部分に屋外Ｇに開口した下開口８と上開口７を形成することにより、屋外Ｇと通気層γを等圧構造に形成した壁構造である。【選択図】図１
2016160591.tif 000002
【特許請求の範囲】
【請求項１】
既存壁下地、あるいは新築壁下地上に硬質板が形成された下地と外壁材間に通気層を形成し、該通気層の下端部分と上端部分に屋外に開口した下開口と上開口を形成することにより、屋外と通気層を等圧構造に形成したことを特徴とする壁構造。
【発明の詳細な説明】
【技術分野】
【０００１】
本発明は、排湿機能、結露防止機能、断熱機能、防水機能、等を形成した壁構造に係るものである。
【背景技術】
【０００２】
壁体内が密閉状態の場合、水蒸気の逃げ場が無く、外気温度が低いと外壁材裏面や壁体内に結露が発生する。そこで、壁体内の水蒸気を外気に排出して内部結露を防止したり、土台や柱にしみ込んだ水分を外気に排出するために、外壁材と躯体間に厚さ２０ｍｍ程度の空気層を設ける工法、所謂通気工法が開発された。本来、通気工法とは、壁内結露防止のための工法である。（例えば、特許文献１〜６参照）。
【先行技術文献】
【特許文献】
【０００３】
【特許文献１】特開平０９−１１９１７５号公報
【特許文献２】特開平０９−１４４１５２号公報
【特許文献３】特開平１１−２４１４２７号公報
【特許文献４】特開平１１−２９３８０１号公報
【特許文献５】特開２０００−２９１１６９号公報
【特許文献６】特開２００３−３２８４６０号公報
【発明の概要】
【発明が解決しようとする課題】
【０００４】
しかしながら、特許文献１〜６は湿気を排出するが、外気が外壁材の裏面を通過するために、外壁材に断熱性のある部材を形成しても断熱材としての効果を発揮出来ず、外壁材が断熱材として機能しないものであった。また、窯業系外壁材の雨漏りを防止するために通気工法を採用することが多くなり、現在では雨仕舞いのための工法として考えている人も多い。
【課題を解決するための手段】
【０００５】
本発明はこのような欠点を解決するために、既存壁下地、あるいは新築壁下地上に硬質板が形成された下地と外壁材間に通気層を形成し、通気層の下端部分と上端部分に屋外に開口した下開口と上開口を形成することにより、屋外と通気層を等圧構造に形成した壁構造を提供するものである。
【発明の効果】
【０００６】
本発明に係る壁構造によれば、通気層の上下が屋外に連通すると共に、屋外と通気層が等圧に形成されるために、（１）屋外と通気路が等圧となり、雨水が屋内側に浸入することが無く、防水性が大幅に向上する。（２）出隅、入隅、縦目地、窓廻り等へのシーリング施工の必要が無くなり、施工に熟練を要さずとも確実な防水構造を形成することが出来る。（３）壁内の湿気を外部に放出することが出来る。（４）通気層を空気が急激に移動しなくなるために、空気層としての断熱性を生かせる。（５）防水性が強化出来る。（６）通気層（壁）内に結露が生じない。（７）結露が生じないので、躯体の腐朽が生じにくい。（８）通気層（空気層）の外側に位置する外壁材が断熱材として機能する。（９）断熱性を有する外壁材を使用すれば、外壁材の断熱性を生かすことが出来る。（１０）外壁材が断熱材として機能するために、夏季の冷房効率、冬季の暖房効率を高められる。（１１）外壁材の断熱性により、外壁材の裏面および壁内の温度が高く保持され、より内部結露の発生が抑えられる。また、下地上に硬質板を形成することにより、（１２）屋外と通気層が等圧に形成されても、通気層から屋内内への外気（風雨）の浸入防止が図れる。さらに、（１３）硬質板は、通気層内が屋外と等圧になっても、風圧力に耐えることが出来る。等の特徴、効果がある。
【０００７】
また、本発明に係る壁構造によれば、外壁材の裏面に通気層（通気層）を形成した壁構造では、外壁材として断熱性の有る部材を形成しても外壁材が断熱材として認められなかったが、通気層の本来の意義である内部結露防止の効果を生かし、さらに、断熱性のある外壁材により断熱効果を生むことで、外壁材裏面および壁内の温度を高く保つことが可能となり、省エネルギーと壁内結露の防止効果を高めることが出来る工法となる。これは、今までの通気工法のように、外壁材の裏面と下地間の通気路を外気が移動することにより結露を防止する構造とは異なり、湿気だけを外部に排出出来る構造であるために、断熱性を有する外壁材の性能を有効に活用出来る。等の特徴、効果がある。
【図面の簡単な説明】
【０００８】
【図１】本発明に係る壁構造の代表的一例を示す断面図である。
【図２】本発明に係る壁構造の代表的一例を示す断面図である。
【図３】本発明に係る壁構造の代表的一例を示す断面図である。
【図４】本発明に係る壁構造の代表的一例を示す断面図である。
【図５】本発明に係る壁構造に使用する外壁材の代表的一例を示す断面図である。
【発明を実施するための形態】
【実施例】
【０００９】
以下に図面を用いて本発明に係る壁構造について詳細に説明する。図１〜図４は本発明に係る壁構造を示す断面図、図５（ａ）〜（ｄ）は外壁材Ａを示す説明図である。図中、αは下地、βは釘等の固定具、γは通気層を示している。
【００１０】
下地αは、内装材１、ポリエチレンシート等の防湿層２、主柱、間柱等の躯体３、躯体３間に形成したグラスウール等の断熱材４より形成したものである。
【００１１】
５は硬質板であり、新築では合板、構造用合板（ＯＳＢ）、等、あるいは既存の外壁材では、例えば既存の窯業系サイディング材、既存の金属系サイディング材、既存モルタル壁、等より成るものである。これは、下地αの強度を向上すると共に、防水性の向上、気圧が屋外G＝通気層γ＞屋内Nの関係になった時の、通気層γから屋内N内への外気（風雨）の浸入防止を図るために形成したものである。また、硬質板５は、通気層γ内が屋外Gと等圧になるために、風圧力に耐えるために形成したものである。
【００１２】
６は通気層形成部材であり、通気層γが上下開口部と連通するように形成したものであり、例えば縦胴縁である。勿論、通気層γが上下開口部と連通するように形成されれば、横胴縁でも、通気層形成部材６の替わりに、通気層形成部材６に溝を形成して通気層γを形成する板材を、部分的あるいは全面に形成してもかまわない。なお、通気層形成部材６の材質は、木材、金属材、プラスチック材、等である。
【００１３】
７は上開口、８は下開口であり、通気層形成部材６により形成された通気層γと連通し、屋内の湿気を外部に排出するための出口であると共に、屋外Ｇと通気層γを等圧とし、外気が通気路γに急激に浸入するのを防止し、屋内Ｎ側に雨水等が浸入するのを防止出来るものである。
【００１４】
９は止縁、１０は水切りであり、外壁材Ａの上下端部を納めるための部材である。また、水切り１０は通気層形成部材６の下端部屋外面に形成することにより、外壁材Aの表面を流下した雨水が水切り１０と外壁材A間より通気層γ内に浸入することが無いものである。
【００１５】
Ａは外壁材であり、断熱性、防水性、気密性、耐候性、等の機能を有する部材である。例えば、図５（ａ）〜（ｄ）に示すような金属系サイディング材等を使用するものである。
【００１６】
次に、図１〜図４を用いて本発明に係る壁構造の施工方法について説明する。まず、内装材１、ポリエチレンシート等の防湿層２、主柱、間柱等の躯体３、躯体３間に形成したグラスウール等の断熱材４より形成した下地α上に、構造用合板（ＯＳＢ）よりなる硬質板５を形成し、下端に防水用の長尺状で金属製の捨て板Ｓを連続状に固定する。
【００１７】
次に、軒天を形成し、その後厚さ１８ｍｍ×幅４５ｍｍ程度の通気層形成部材６を４５５ｍｍピッチで縦に複数本固定する。なお、出隅、入隅、縦目地、窓廻り、等には縦胴縁を形成（繋ぎ部は隙間を開けない）し、隣接する壁の通気層γ間が連通しないように形成するものである。
【００１８】
通気層形成部材６の形成が完了したら、上開口７と下開口８を閉塞しないように止縁９、水切り１０を形成する。
【００１９】
その後、外壁材Ａをその雄雌嵌合と釘等の固定具βによる固定により施工し、施工を完了するものである。
【００２０】
このように形成することにより、屋外Ｇと通気路γが等圧となり、雨水が屋内Ｎ側に浸入することが無く、また、出隅、入隅、縦目地、窓廻り等へのシーリング施工の必要が無くなるものであり、施工に熟練を要さずとも確実な防水構造を形成することが出来るものである。
【００２１】
また、図示しないが各層間にアスファルトフェルト、透湿防水シート、等の防水シートを形成したり、上下の上開口７、下開口８部分に防虫網を形成したりすることも出来るものである。
【００２２】
さらに、外壁材Ａを縦張りに形成する場合には、（１）２０平方センチ／幅ｍ以上の通気を確保するには、深さ６ｍｍ×幅３０ｍｍの通気路をピッチ９０ｍｍにて形成した横胴縁よりなる通気層形成部材６を使用し、（２）３０．６平方センチ／幅ｍ以上の通気を確保するには、深さ６ｍｍ×幅３０ｍｍの通気路をピッチ６０ｍｍにて形成した横胴縁よりなる通気層形成部材６を使用するものである。
【符号の説明】
【００２３】
α  下地
β  固定具
γ  通気層
Ａ  外壁材
Ｇ  屋外
Ｎ  屋内
Ｓ  捨て板
１  内装材
２  防湿層
３  躯体
４  断熱材
５  硬質板
６  通気層形成部材
７  上開口
８  下開口
９  止縁
１０  水切り
１１  スターター
【図１】
2016160591.tif 000003
【図２】
2016160591.tif 000004
【図３】
2016160591.tif 000005
【図４】
2016160591.tif 000006
【図５】
2016160591.tif 000007